(57)【特許請求の範囲】
【請求項１】
エアコンから室内に吹き出す空調空気の吹き出し音をキャンセルする制御音を発生するスピーカ部と、
前記吹き出し音の変化に応じて、前記スピーカ部からの制御音を変化させるべくキャンセル信号を出力する制御音制御部とを含むエアコン稼働時の音演出装置であって、
前記制御音制御部は、前記キャンセル信号の他に、前記エアコンの冷房モード及び暖房モードに応じた、非騒音成分である音成分信号を前記スピーカ部に付与するとともに、前記エアコンの吹き出し音の音量がエアコン起動時よりも小さくなったときは、前記非騒音成分の音成分を０またはレベルを小さくするエアコン稼働時の音演出装置。
【請求項２】
前記エアコンは、前記空調空気を吹き出すための駆動源であるモータを備えており、
前記制御音制御部は、前記モータの制御量がエアコン起動時よりも小さくなった場合は、前記非騒音成分の音成分のレベルを０とする請求項１に記載のエアコン稼働時の音演出装置。
【請求項３】
前記室内としての車室内に設けられた複数の座席と、
前記座席毎に対応して設けられたスピーカ部としての車載スピーカと、
前記複数の座席のいずれに乗員が着座しているかを設定する設定部とを備え、
前記制御音制御部は、前記設定部の設定に基づいて乗員の着座がある座席に関連した車載スピーカに対して、前記制御音の他に、前記エアコンの冷房モード及び暖房モードに応じた、非騒音成分である音成分信号を付与するとともに、前記エアコンの吹き出し音の音量がエアコン起動時よりも小さくなったときは、前記非騒音成分の音成分を０またはレベルを小さくする請求項２に記載のエアコン稼働時の音演出装置。
【請求項４】
前記設定部は、乗員が前記座席に着座しているか否かを検出する着座センサである請求項３に記載のエアコン稼働時の音演出装置。
【請求項５】
前記設定部は、乗員が着座している座席を手動で設定する手動設定部である請求項３に記載のエアコン稼働時の音演出装置。
【発明の詳細な説明】
【技術分野】
【０００１】
本発明は、エアコン稼働時の音演出装置に関する。
【背景技術】
【０００２】
従来から、特許文献１、特許文献２の車室内騒音低減装置が公知である。これらの車室内騒音低減装置は、車室内での騒音を検出し、この騒音の逆位相の音波を生成することによって前記騒音を消音するアクティブノイズコントロールによって行っている。
【先行技術文献】
【特許文献】
【０００３】
【特許文献１】特開平１１−１４９２９０号公報
【特許文献２】特開２００４−５０８５９号公報
【発明の概要】
【発明が解決しようとする課題】
【０００４】
ところで、稼働中のオートのカーエアコンは、ブロアファンの音（エアコン音）が発生する。このため、上記車室内騒音低減装置を利用すれば、前記ブロアファンによる騒音もアクティブノイズコントロールが発生する制御音により低減することが可能である。
【０００５】
すなわち、車室内温度が予め設定した温度との差が大きい場合、オートのカーエアコンのコントローラによりブロアファンは高速で回転されて、車室内温度が設定した温度に近づくと低速で回転されるように制御される。このような場合、上記車室内騒音低減装置によって、ブロアファンの高速作動、低速作動にかかわらず、その騒音を低減することができて、車室内の乗員は、上記車室内騒音低減装置によって、ブロアファンによる騒音から逃れることはできる。
【０００６】
一方、車室内騒音低減装置がない場合、車室内温度が設定した温度に近づくとフロアファンの音が低減されて、その音量が一定となった場合、車室内温度がカーエアコンに対して予め設定しておいた設定温度に達したことをこの音で気付くことができる利点がある。従って、上記車室内騒音低減装置がある場合には、この利点が失われている。
【０００７】
また、家庭用エアコンや業務用エアコンにおいても、アクティブノイズコントロールによる騒音低減装置が考えられるが、この場合も同様に、室内にいる人は、室内温度がエアコンに対して予め設定しておいた設定温度に達したことを音で気付くことができない。
【０００８】
本発明の目的は、エアコンの吹き出し音が消音されている状態においても、騒音ではないサウンドによって室内温度が設定された設定温度側に近づいたことを知らせることができるエアコン稼働時の音演出装置を提供することにある。
【課題を解決するための手段】
【０００９】
上記問題点を解決するために、本発明は、エアコンから室内に吹き出す空調空気の吹き出し音をキャンセルする制御音を発生するスピーカ部と、前記吹き出し音の変化に応じて、前記スピーカ部からの制御音を変化させるべくキャンセル信号を出力する制御音制御部とを含むエアコン稼働時の音演出装置であって、前記制御音制御部は、前記キャンセル信号の他に、前記エアコンの冷房モード及び暖房モードに応じた、非騒音成分である音成分信号を前記スピーカ部に付与するとともに、前記エアコンの吹き出し音の音量がエアコン起動時よりも小さくなったときは、前記非騒音成分の音成分を０またはレベルを小さくするものである。
【００１０】
また、前記エアコンは、前記空調空気を吹き出すための駆動源であるモータを備えており、前記制御音制御部は、前記モータの制御量がエアコン起動時よりも小さくなった場合は、前記非騒音成分の音成分のレベルを０としてもよい。
【００１１】
また、前記室内としての車室内に設けられた複数の座席と、前記座席毎に対応して設けられたスピーカ部としての車載スピーカと、前記複数の座席のいずれに乗員が着座しているかを設定する設定部とを備え、前記制御音制御部は、前記設定部の設定に基づいて乗員の着座がある座席に関連した車載スピーカに対して、前記制御音の他に、前記エアコンの冷房モード及び暖房モードに応じた、非騒音成分である音成分信号を付与するとともに、前記エアコンの吹き出し音の音量がエアコン起動時よりも小さくなったときは、前記非騒音成分の音成分を０またはレベルを小さくするようにしてもよい。
【００１２】
また、前記設定部は、乗員が前記座席に着座しているか否かを検出する着座センサにしてもよい。
また、前記設定部は、乗員が着座している座席を手動で設定する手動設定部にしてもよい。
【発明の効果】
【００１３】
本発明によれば、エアコンの吹き出し音が消音されている状態においても、騒音ではないサウンドによって室内温度が設定された設定温度側に近づいたことを報知することができる効果を奏する。
【図面の簡単な説明】
【００１４】
【図１】第１実施形態のエアコン稼働時の音演出装置を有する車両の座席及びエアコンのレイアウト図。
【図２】第１実施形態のエアコン稼働時の音演出装置の電気ブロック図。
【図３】第１実施形態のエアコン稼働時の音演出装置のＣＰＵ５３が行うノイズキャンセル処理のフローチャート。
【図４】第２実施形態のエアコン稼働時の音演出装置を有する車両の座席及びエアコンのレイアウト図。
【図５】第２実施形態のエアコン稼働時の音演出装置の電気ブロック図。
【図６】第２実施形態のエアコン稼働時の音演出装置のＣＰＵ５３が行うノイズキャンセル処理のフローチャート。
【発明を実施するための形態】
【００１５】
（第１実施形態）
以下、本発明を車両用のエアコン稼働時の音演出装置に具体化した第１実施形態について図１〜図３を参照して説明する。
【００１６】
まず、エアコン２０について説明する。図１に示すように本実施形態における車両１０に搭載されたエアコン（カーエアコン）２０は、図２に示すＡ／ＣＥＣＵ３０による制御に応じて車室１２内の空調を行うようにされている。なお、空調には、温度、風向、風量等が調整された空調空気の車室１２内への導入を含む。
【００１７】
具体的には、エアコン２０は、冷媒を圧縮するコンプレッサ（図示しない）と、圧縮された冷媒を液化するコンデンサ（図示しない）と、液化された冷媒を急激に膨張させて、低温、低圧の霧状にする膨張弁（図示しない）と、前記膨張弁で霧状の冷媒を気化し、このときの気化熱により空調空気を冷却するエバポレータ（図示しない）とを備える。
【００１８】
また、エアコン２０は、内外気ダンパ（図示しない）と、ブロアファン２４（図２参照）と、ヒータコア（図示しない）と、エアミックスダンパ（図示しない）とを備えたダクト２３を有する。
【００１９】
内外気ダンパは、車外から取り込んだ空気で空調空気を生成する外気モードと、車室内の空気を取り込んで空調空気を生成する内気モードとを切り替える。
ブロアファン２４は、エバポレータより上流に配置されるとともに、駆動源としてのブロアモータ２２（図２参照）により回転駆動されてエバポレータに空調空気を送る。また、ブロアモータ２２は、後述するＡ／ＣＥＣＵ３０により回転量（短時間当たりの回転数）が制御されることにより、空調空気の風量を調整する。前記ヒータコア（図示しない）は、前記エバポレータより下流に配置されて空気を昇温して暖気を生成する。前記エアミックスダンパ（図示しない）は、エバポレータとヒータコアの間に配置されてエバポレータで冷却された冷気とヒータコアで加熱された暖気との混合比率を決める。図１に示すように、ブロアファン２４から送風された空調空気は、ダクト２３の開口に設けられたレジスタ１４を介して車室内に導入される。
【００２０】
Ａ／ＣＥＣＵ３０には、車室内温度を検出する温度センサ２５が接続されている。
また、図示しないインストルメントパネルには、ヒータコントロールユニット（以下、「ヒーコンユニット」と略す）２６が設けられている。ヒーコンユニット２６は、カーオーディオやナビゲーションシステムなどと共に一体型車載システムとしてレイアウトされている。
【００２１】
ヒーコンユニット２６は、エアコン２０による空調条件（すなわち、設定温度、風量、風向、モード等）を設定する操作部である。例えば、ヒーコンユニット２６は、ＯＮ／ＯＦＦスイッチ、温度設定スイッチ、風量切替スイッチ、内外気切替スイッチ、デフロスタスイッチ、エアコンの自動制御のオン／オフを切り替えるために操作されるＡＵＴＯスイッチ、といった各種スイッチを含んで構成される。これらのスイッチは、各々公知の押圧操作部やダイアル操作部として構成されている。
【００２２】
Ａ／ＣＥＣＵ３０は、前記温度センサ２５及びヒーコンユニット２６から入力された入力信号と予め格納されている制御プログラムとに基づいてブロアモータ２２と、内外気ダンパ（図示しない）を作動する図示しないアクチュエータ、エアミックスダンパ（図示しない）を作動する図示しないアクチュエータ、ヒータコア等を制御する。そして、Ａ／ＣＥＣＵ３０は、乗員によって設定された所望の温度（すなわち、設定温度）、風量及び吹出方向を具備する空調空気を車室１２内へ供給可能に構成されている。
【００２３】
図２に示すように、Ａ／ＣＥＣＵ３０には、複数の着座センサ４０が接続されている。着座センサ４０は、車両１０に登場する乗員の座席（すなわち、前列の座席（運転席１５、及び助手席１６）、後列の座席１７、１８）にそれぞれ設けられている。着座センサ４０は、座席に乗員が着座しているか否かを検出する。着座センサ４０は、乗員の着座を設定する設定部に相当する。
【００２４】
次に、エアコン稼働時の音演出装置５０について説明する。
図２に示すようにエアコン稼働時の音演出装置５０は、メインユニット５２と、メインユニット５２に接続されたオーディオアンプ５５と、メインユニット５２に接続されたディスプレイ６０と、及び外部入力部６２と備えている。ディスプレイ６０及び外部入力部６２は、前記インストルメントパネル（図示しない）に設けられている。外部入力部６２は、例えば、ＵＳＢメモリ等が接続されて、外部から各種データの入力が可能となっている。
【００２５】
メインユニット５２は、ＣＰＵ５３（中央演算処理装置）と、記憶装置５４とを備えている。記憶装置５４は、例えば、書換可能なＥＥＰＲＯＭ等の不揮発性メモリからなる。メインユニット５２のＣＰＵ５３は、Ａ／ＣＥＣＵ３０とＣＡＮ（Controller Area Network）通信等の通信プロトコルにより通信が可能となっている。なお、Ａ／ＣＥＣＵ３０とＣＰＵ５３との通信プロトコルは、ＣＡＮ通信プロトコルに限定するものではなく、他の通信プロトコルであってもよい。
【００２６】
メインユニット５２のＣＰＵ５３は、Ａ／ＣＥＣＵ３０と所定の制御周期で通信が行われて、エアコン２０の現在の作動状態を示す各種データの受信が行われる。
この各種データには、ブロアモータ２２の制御量、及び冷房モードまたは暖房モードを示す冷暖房モードデータを含む。
【００２７】
なお、前記冷暖房モードデータは、乗員によって設定された設定温度と車室内温度に基づいてＡ／ＣＥＣＵ３０により作成される。この冷暖房モードデータは、設定温度が、車室内温度よりも低ければ、冷房モードである旨のデータであり、前記設定温度が車室内温度よりも高ければ暖房モードである旨のデータである。
【００２８】
また、Ａ／ＣＥＣＵ３０は、前記設定条件の各種データと合わせて、複数の着座センサ４０による、座席に乗員が着座しているか否かの検出結果データをＣＰＵ５３に送信する。
【００２９】
記憶装置５４には、前記ブロアモータ２２が駆動された際に発生する騒音（すなわち、レジスタ１４から空調空気が出るときの吹き出し音）を消音する複数の制御音データが後述するブロアモータ２２の制御量と関連付けて格納されている。この制御量は、ブロアモータ２２の回転量と一義的に関連付けされている。
【００３０】
すなわち、ブロアモータ２２の回転量が異なれば、発生する騒音（前記吹き出し音）もその周波数分布が異なってくることと、音量も変化するため、それに応じて、その騒音を消音するための制御音データが前記記憶装置５４に複数格納されている。なお、音量が変化するとは、ブロアモータ２２の回転量が大の場合には吹き出し音の音量が大きくなり、ブロアモータ２２の回転量が小さくなればその音量は小さくなることをいう。
【００３１】
制御音データは、前記制御音データに基づいてスピーカが制御音を発生した場合、該制御音が消音する騒音の位相とは逆位相となるデータである。なお、Ａ／ＣＥＣＵ３０からの制御量に基づいてブロアモータ２２の回転量が決まることから、この回転量によって発生する騒音（前記吹き出し音）を消音できる制御音データは試験等によって作成されている。
【００３２】
また、記憶装置５４には、エアコン２０の暖房モード及び冷房モードのそれぞれに合わせて、暖房用サウンドデータと冷房用サウンドデータが格納されている。暖房用サウンドデータは、例えば、たき火の音、心温まる音等の暖かさを感じさせる音のデータが好ましいが、これらの音に限定するものではない。また、冷房用サウンドデータは、例えば、風鈴の音、さざ波の音、滝の音、せせらぎの音等のように涼しさを感じさせる音のデータが好ましいが、これらの音に限定するものではない。
【００３３】
暖房用サウンドデータは、エアコン２０が暖房モードのときに、Ａ／ＣＥＣＵ３０により選択されて、非騒音成分である音成分信号としてオーディオアンプ５５に出力される。また、冷房用サウンドデータは、エアコン２０が暖房モードのときに、Ａ／ＣＥＣＵ３０により選択されて、非騒音成分である音成分（音成分信号）としてオーディオアンプ５５に出力される。
【００３４】
ＣＰＵ５３は、Ａ／ＣＥＣＵ３０がブロアモータ２２を回転制御するときの制御量をＡ／ＣＥＣＵ３０から定期周期で受信し、その制御量に基づいて、記憶装置５４に格納した制御音データのうち、消音するのに最適なデータを選択可能となっている。
【００３５】
オーディオアンプ５５には、複数のスピーカ５６〜５９が接続されている。スピーカ５６、５７は、運転席１５に隣接する運転席側のドア６３の内面及び助手席１６に隣接するドア６４の内面にそれぞれ設けられている。また、スピーカ５８、５９は、２列目シートの運転席１５の後列の座席、及び助手席１６の後列の座席に隣接するドア６５、６６の内面にそれぞれ設けられている。
【００３６】
なお、スピーカ５６〜５９の配置は、ドアに限定されるものではなく、ルーフや車体等であってもよい。スピーカ５６〜５９はスピーカ部及び車載スピーカに相当する。
（第１実施形態の作用）
上記のように構成されたエアコン稼働時の音演出装置５０の作用を説明する。図３は、エアコン２０の自動制御（オート制御）のオン／オフを切り替えるために操作されるＡＵＴＯスイッチがオンとされた際に、エアコン稼働時の音演出装置５０のＣＰＵ５３が実行するノイズキャンセル処理のフローチャートであり、前記所定の制御周期で実行する。
【００３７】
（Ｓ１０）
ＣＰＵ５３は、エアコンがオン操作されたか否かを、ヒーコンユニット２６のＡＵＴＯスイッチがオン状態（オン操作された）か否かで、判定する。ＡＵＴＯスイッチがオン操作された場合には、Ｓ２０に移行しオフの状態となっているときは、このフローチャートを一旦終了する。
【００３８】
（Ｓ２０）
Ｓ２０では、ＣＰＵ５３は、エアコン状態を把握する。すなわち、ＣＰＵ５３は、Ａ／ＣＥＣＵ３０から、冷暖房モードデータ、及び、現時点でのブロアモータ２２の制御量を取得（受信）する。
【００３９】
（Ｓ３０）
Ｓ３０では、ＣＰＵ５３は、着座センサ４０の検出結果データに合わせて、ノイズキャンセルの範囲を設定する。すなわち、ＣＰＵ５３は、着座センサ４０によって、運転席１５、助手席１６、座席１７または座席１８に着座が検出されていれば、その検出された座席に最も近いスピーカが制御音を発生するスピーカとして設定される。なお、運転席１５に最も近いスピーカはスピーカ５６、助手席１６に最も近いスピーカはスピーカ５７、座席１７に最も近いスピーカはスピーカ５８、並びに座席１８に最も近いスピーカは、スピーカ５９である。
【００４０】
（Ｓ４０）
Ｓ４０では、ブロアモータ２２の制御量とあった制御音データを選択する。すなわち、ＣＰＵ５３は、現時点でのブロアモータ２２の制御量にあった制御音データを記憶装置５４から一義的に選択する。ここで、ブロアモータ２２の制御量が大きければ、吹き出し音の音量も大きくなり、ブロアモータ２２の制御量が小さければ、吹き出し音の音量も小さくなる従って、吹き出し音の音量の大小を判定するのに、本実施形態では、ブロアモータ２２の制御量を指標としているのである。
【００４１】
（Ｓ５０）
Ｓ５０では、ＣＰＵ５３は、ブロアモータ２２の制御量がサウンド消去条件を満たしているか否かを判定する。サウンド消去条件は、本実施形態では、ブロアモータ２２の制御量が、最小制御量の場合である。
【００４２】
ブロアモータ２２の制御量がサウンド消去条件を満たしている場合は、Ｓ６０に移行し、ブロアモータ２２の制御量がサウンド消去条件を満たしていない場合は、Ｓ７０に移行する。
【００４３】
（Ｓ６０）
Ｓ６０では、ＣＰＵ５３は、Ｓ２０で把握したエアコン状態の１つである冷暖房モードデータに基づいて、冷房用サウンドデータまたは暖房用サウンドデータを選択する。
【００４４】
すなわち、ＣＰＵ５３は、受信した最新の冷暖房モードデータが冷房モードであれば、冷房用サウンドデータを選択し、受信した最新の冷暖房モードデータが冷房モードであれば、暖房用サウンドデータを選択する。
【００４５】
そして、ＣＰＵ５３は、Ｓ３０で設定したノイズキャンセルの範囲のスピーカを駆動すべく、選択した冷房用サウンドデータまたは暖房用サウンドデータに基づくサウンド信号とともに、Ｓ４０で選択した制御音データに基づく制御音信号をオーディオアンプ５５に出力する。なお、これらのサウンドデータの音量は、乗員間の会話を害するような大きな音量にはならないように設定されている。オーディオアンプ５５はこれらの信号による合成音を増幅して前記選択されたスピーカで生成し、このフローチャートを一旦終了する。制御音信号は、キャンセル信号に相当し、ＣＰＵ５３は、制御音制御部に相当する。
【００４６】
この結果、ノイズキャンセルの範囲にいる乗員は、騒音である吹き出し音が消音され、かつ、エアコン２０の冷暖房モードに応じたサウンドを聞くことができる。
（Ｓ７０）
Ｓ５０からＳ７０に移行する場合とは、車室内温度が設定温度に近づくとブロアモータ２２の制御量がエアコン２０が起動時のときよりも小さくなり、かつ、サウンド消去条件を満たすほどの制御量であることから、エアコン２０が起動時の状態よりもエアコンの吹き出し音が小さくなった場合である。
【００４７】
ここでエアコンの起動時とは、エアコンがオート制御の際に、ブロアモータ２２が最初に回転した時である。例えば、暖房モードでは、エアコンがオンとなった直後では、ヒータコアが暖まっていない場合があり、このようなときは、エアコンがオン状態であっても、ブロアモータ２２が回転されない場合がある。このような場合は、ブロアモータ２２が回転を開始した時を本明細書ではエアコンの起動時に含む趣旨である。
【００４８】
Ｓ７０では、ＣＰＵ５３は、Ｓ３０で設定したノイズキャンセルの範囲のスピーカを駆動すべく、Ｓ４０で選択した制御音データに基づく制御音信号をオーディオアンプ５５に出力する。オーディオアンプ５５は前記制御音信号を増幅して前記選択されたスピーカで生成し、このフローチャートを一旦終了する。
【００４９】
この結果、ノイズキャンセルの範囲にいる乗員の周囲環境は、吹き出し音が消音された環境であって、非騒音成分であるサウンドもなくなった環境となる。
従って、前記乗員の周囲環境では、冷暖房モードに応じたサウンドが聞こえている状態から、前記サウンドが聞こえなくなった場合（非騒音成分の音成分が０となった場合）には、乗員は前記サウンドが聞こえなくなったことにより、エアコン２０によって車室内温度が設定温度に近づいたことを認知することができる。
【００５０】
本実施形態によれば、以下のような効果を得ることができる。
（１）本実施形態の車両用のエアコン稼働時の音演出装置は、エアコン２０から車室内に吹き出す空調空気の吹き出し音をキャンセルする制御音を発生するスピーカ（スピーカ部）５６〜５９を有する。また、音演出装置は、吹き出し音の変化に応じて、スピーカ５６〜５９からの制御音を変化させるべく制御音信号（キャンセル信号）を出力するＣＰＵ５３（制御音制御部）を有する。また、ＣＰＵ５３は、制御音信号（キャンセル信号）の他に、エアコン２０の冷房モード及び暖房モードに応じた、非騒音成分である非騒音成分である音成分（音成分信号）をスピーカ５６〜５９に付与する。また、エアコン２０の吹き出し音の音量がエアコン起動時よりも小さくなったときは、非騒音成分の音成分を０とする。
【００５１】
この結果、本実施形態によれば、エアコンの吹き出し音が消音されている状態においても、騒音ではないサウンドによって、すなわち、本実施形態では、サウンドがなくなることによって室内温度が設定された設定温度側に近づいたこと知らせることができる。
【００５２】
また、本実施形態では、エアコンが冷房設定時には、冷房にあったサウンドが提供され、エアコンが暖房設定時には、暖房にあったサウンドが提供される。このため、乗員の体感温度をこのサウンドによる乗員の心理的音響効果により高めることができる。
【００５３】
（２）本実施形態の車両用のエアコン稼働時の音演出装置では、エアコン２０は、空調空気を吹き出すための駆動源であるブロアモータ２２を備えている。
また、ＣＰＵ５３（制御音制御部）は、ブロアモータ２２の制御量がエアコン起動時よりも小さくなった場合は、非騒音成分の音成分のレベルを０とする。
【００５４】
すなわち、ブロアモータ２２の制御量がエアコン起動時よりも小さくなった場合、エアコンの吹き出し音の音量のレベルがエアコンの起動時よりも小さくなる。この場合、本実施形態では、非騒音成分の音成分のレベルを０とすることから、騒音ではないサウンドがなくなることによって車室内温度が設定された設定温度側に近づいたことを乗員は知ることができる。
【００５５】
（３）本実施形態の車両用のエアコン稼働時の音演出装置は、車室内に設けられた運転席１５、助手席１６、座席１７、１８と、座席毎に対応して設けられたスピーカ５６〜５９と、前記座席のいずれに乗員が着座しているかを設定（検出）する着座センサ４０（設定部）を備える。そして、ＣＰＵ５３（制御音制御部）は、着座センサ４０（設定部）の設定（検出）に基づいて乗員の着座がある座席に関連した車載スピーカに対して、制御音の他に、エアコン２０の冷房モード及び暖房モードに応じた、非騒音成分である音成分信号を付与する。また、あわせて、エアコン２０の吹き出し音の音量がエアコン起動時よりも小さくなったときは、非騒音成分の音成分を０とする。
【００５６】
この結果、本実施形態によれば、着座センサ（設定部）で着座が設定（検出）された座席に着座する乗員は、騒音ではないサウンドが消されることによって室内温度が設定された設定温度側に近づいたことを認知することができる。
【００５７】
（第２実施形態）
次に、第２実施形態のエアコン稼働時の音演出装置５０を図４及び図５を参照して説明する。なお、本実施形態のエアコン稼働時の音演出装置５０において、第１実施形態で説明した構成と同一または相当する構成については同一符号を付してその説明を省略するとともに、異なる構成について説明する。
【００５８】
第１実施形態では、レジスタ１４から空調空気が出るときの吹き出し音を消音する複数の制御音データがブロアモータ２２の制御量と関連付けて格納したが、本実施形態では、制御音データをリアルタイムに作成するようにしたところが異なっている。
【００５９】
また、図５に示すようにエアコン稼働時の音演出装置５０は、ダクト２３からの吹き出し音をリファレンス音として拾うリファレンスマイクロフォン７１と、座席毎に設けられたスピーカ５６〜５９からの制御音と前記吹き出し音との誤差を拾うエラーマイクロフォン７６〜７９を備えている。ＣＰＵ５３は、着座センサ４０により検出された座席に関して、アクティブノイズコントロールによってノイズキャンセルを行うようにしている。また、メインユニット５２は、エコーキャンセラ５１を備え、エラーマイクロフォン７６〜７９が収音した暖房用サウンド成分、冷房用サウンド成分の除去することが可能となっている。
【００６０】
（第２実施形態の作用）
上記のように構成されたエアコン稼働時の音演出装置５０の作用を説明する。
図６は、エアコン２０の自動制御のオン／オフを切り替えるために操作されるＡＵＴＯスイッチがオンとされた際に、エアコン稼働時の音演出装置５０のＣＰＵ５３が実行するノイズキャンセル処理のフローチャートであり、前記所定の制御周期で実行する。
【００６１】
なお、Ｓ１０は、第１実施形態と同じであるため、処理が異なるＳ２０Ａ、Ｓ４０Ａ、Ｓ６０Ａ、Ｓ７０Ａについて説明する。
（Ｓ２０Ａ）
Ｓ２０Ａでは、ＣＰＵ５３は、エアコン状態を把握する。すなわち、ＣＰＵ５３は、Ａ／ＣＥＣＵ３０から、冷暖房モードデータを取得するとともに、リファレンスマイクロフォン７１からリファレンス音を取得する。
【００６２】
（Ｓ４０Ａ）
Ｓ４０Ａでは、ＣＰＵ５３は、Ｓ３０で設定されたノイズキャンセルの範囲となった座席におけるスピーカで鳴らす制御音データを作成する。
【００６３】
前記制御音データの作成は、前記ノイズキャンセルの範囲となった座席における誤差（前回に制御周期で発した制御音と吹き出し音との誤差）を０にしていく適応フィルターを更新する公知の適応アルゴリズムで行われる。なお、前記誤差は、当該座席のエラーマイクロフォンから取得される。
【００６４】
（Ｓ６０Ａ）
Ｓ６０Ａでは、ＣＰＵ５３は、Ｓ２０Ａで把握したエアコン状態の１つである冷暖房モードデータに基づいて、冷房用サウンドデータまたは暖房用サウンドデータを選択する。すなわち、ＣＰＵ５３は、受信した最新の冷暖房モードデータが冷房モードであれば、冷房用サウンドデータを選択し、受信した最新の冷暖房モードデータが冷房モードであれば、暖房用サウンドデータを選択する。
【００６５】
そして、ＣＰＵ５３は、Ｓ３０で設定したノイズキャンセルの範囲のスピーカを駆動すべく、選択した冷房用サウンドデータまたは暖房用サウンドデータに基づくサウンド信号とともに、Ｓ４０Ａで作成した制御音データに基づく制御音信号をオーディオアンプ５５に出力する。オーディオアンプ５５はこれらの信号の合成音を増幅して前記選択されたスピーカで生成し、このフローチャートを一旦終了する。
【００６６】
この結果、ノイズキャンセルの範囲にいる乗員は、騒音である吹き出し音が消音され、かつ、エアコン２０の冷暖房モードに応じたサウンドを聞くことができる。
（Ｓ７０Ａ）
Ｓ７０Ａでは、ＣＰＵ５３は、Ｓ３０で設定したノイズキャンセルの範囲のスピーカを駆動すべく、Ｓ４０Ａで作成した制御音データに基づく制御音信号をオーディオアンプ５５に出力する。オーディオアンプ５５は前記制御音信号を増幅して前記選択されたスピーカで生成し、このフローチャートを一旦終了する。
【００６７】
この結果、ノイズキャンセルの範囲にいる乗員の周囲環境は、吹き出し音が消音された環境であって、非騒音成分であるサウンドもなくなった環境とすることができる。このような環境は、エアコン２０が起動時の状態よりもエアコンの吹き出し音が小さくなったときである。
【００６８】
従って、前記乗員の周囲環境では、冷暖房モードに応じたサウンドが聞こえている状態から、前記サウンドが聞こえなくなった場合（非騒音成分の音成分が０となった場合）には、乗員は、サウンドが聞こえなくなったことにより、エアコン２０によって車室内温度が設定温度に近づいたことを認知することができる。
【００６９】
なお、本発明の実施形態は以下のように変更してもよい。
・第１実施形態では、カーエアコンによる吹き出し音の騒音に関して説明したが、車両に限らず、業務用エアコン、家庭用エアコンに適用することも可能である。例えば、家庭用エアコンでは、ブローファンの代りに、クロスフローファンをモータで回転するが、このクロスフローファンによる騒音の低減に用いることも可能である。
【００７０】
・第１実施形態の構成中、着座センサを省略する代りに、例えば、ヒーコンユニット２６を、設定部及び手動設定部としての着座入力部としてもよい。着座入力部では、乗員が着座している座席を指定する指定ボタン等が設けられており、この指定ボタンが操作されると、ＣＰＵ５３は、指定された座席をノイズキャンセルの範囲とする。このように構成すれば、手動操作部によって、指定された座席に着座する乗員は、エアコンの吹き出し音が消音されている状態においても、騒音ではないサウンドが消されることによって室内温度が設定された設定温度側に近づいたことを知ることができる。
【００７１】
・第１実施形態では、冷暖房モードデータを、Ａ／ＣＥＣＵ３０からメインユニット５２に送信するようにした。この代りに、所定の制御周期でＡ／ＣＥＣＵ３０からメインユニット５２に対して、設定温度と車室内温度を送信し、ＣＰＵ５３は、設定温度が車室内温度よりも低ければ冷房モードと判定し、前記設定温度が車室内温度よりも高ければ暖房モードと判定してもよい。そして、この判定結果を利用してＳ５０で暖房用サウンドデータまたは冷房用サウンドデータを選択してもよい。
【００７２】
・第１実施形態では、Ｓ５０において、ブロアモータ２２の制御量が最小制御量のときにサウンド消去条件を満たすとしたが、サウンド消去条件は、ブロアモータ２２の制御量が最小制御量に限定するものではない。ブロアモータ２２の最大制御量と最小制御量との間の制御量としてもよい。例えば、最大制御量と最小制御量の両制御量の中間以下となったときにサウンド消去条件を満たすとしてもよい。
【００７３】
この場合は、乗員は前記サウンドが聞こえなくなったことにより、エアコン２０によってサウンドが聞こえなくなったときの車室内温度が、エアコン起動時の車室内温度よりも設定温度側により近く下がったことを認知することができる。
【００７４】
・第１実施形態では、制御音と非騒音成分であるサウンドを共通のスピーカで鳴らすようにしたが、それぞれ独立したスピーカで個別に制御音と非騒音成分とを鳴らすようにしてもよい。
【００７５】
・第１実施形態では、エアコン２０の吹き出し音が、エアコン稼働時の音演出装置５０の起動時のレベルよりも小さくなったときは、非騒音成分の音成分を０としたが、０とする代りにそのレベルを小さくしてもよい。そのレベルが小さくなったことにより、室内温度が設定された設定温度側に近づいたことを認知することができる。
【００７６】
・第２実施形態では、アクティブノイズコントロールをフィードフォワード制御によって行ったが、リファレンスマイクロフォン７１を省略してフィードバック制御にて行うようにしてもよい。
【００７７】
・前記実施形態では、吹き出し音の音量の大小関係をブロアモータ２２の制御量を指標としたが、吹き出し音の音量をマイクロフォンで収音して、その音量の大小を判定するようにしてもよい。
【００７８】
・前記実施形態では、前後２列シートを有する車両のエアコン稼働時の音演出装置に具体化したが、１列または３列以上を有する車両のエアコン稼働時の音演出装置に具体化してもよい。
【符号の説明】
【００７９】
１０…車両、１２…車室、１４…レジスタ、
１５…運転席、１６…助手席、１７、１８…後列の座席、
２０…エアコン、２２…ブロアモータ（駆動源）、２３…ダクト、
２４…ブロアファン、２５…温度センサ、２６…ヒーコンユニット、
３０…Ａ／ＣＥＣＵ、４０…着座センサ（設定部）、
５０…エアコン稼働時の音演出装置、５２…メインユニット、
５３…ＣＰＵ（制御音制御部）、５４…記憶装置、
５５…オーディオアンプ、
５６、５７、５８、５９…スピーカ（スピーカ部、車載スピーカ）、
６０…ディスプレイ、６２…外部入力部、６３、６４、６５、６６…ドア、
７１…リファレンスマイクロフォン、
７６、７７、７８、７９…エラーマイクロフォン。
【図１】
0006428548.tif 000002
【図２】
0006428548.tif 000003
【図３】
0006428548.tif 000004
【図４】
0006428548.tif 000005
【図５】
0006428548.tif 000006
【図６】
0006428548.tif 000007